(57)【要約】【課題】軽量薄肉のボトルにも適用でき、そのまま縦置き状態や横置き状態にもできるとともに、注ぎ出す場合でなく、冷蔵庫などからの取り出しにも利用することができるボトル用ホルダを提供すること。【解決手段】ボトル１００のノズル部１１０が側方から装入される開口部４１を備え、この開口部４１にノズル部１１０を着脱可能に係合保持する係合部４５を備える上部本体３１と、この上部本体３１の開口部４１と対向する横方向に前記ノズル部１１０が通過可能な空間４７を介して一体に設けられるハンドル部４８とを備える。これにより、ボトル１００のノズル部１１０の横方向にハンドル部４８が位置することになり、縦置き状態でも横置き状態でもハンドル部４８を持つことができ、注ぎ出しだけでなくボトルの取り扱いを容易にできるようにしている。【選択図】　　　図１
2004067112.tif 000002
【特許請求の範囲】
【請求項１】
ボトルのノズル部が側方から装入される開口部を備え、この開口部に装入された前記ノズル部を着脱可能に係合保持する係合部を備える上部本体と、この上部本体の前記開口部と対向する横方向に前記ノズル部が通過可能な空間を介して一体に設けられるハンドル部とを備えることを特徴とするボトル用ホルダ。
【請求項２】
前記ハンドル部を、前記ボトルを並べて収納したときの隣接するボトル同士のノズル部上面とノズル部に連続するボトルの縮径部とで形成される空間内に位置するよう形成してなることを特徴とする請求項１記載のボトル用ホルダ。
【請求項３】
前記上部本体の前記ハンドル部の反対方向に、前記ボトルの胴部の一部を覆う側部本体を一体もしくは別体に設けてなることを特徴とする請求項１または２記載のボトル用ホルダ。
【請求項４】
前記側部本体に横置き可能とする平坦面を形成してなることを特徴とする請求項１〜３のいずれかに記載のボトル用ホルダ。
【請求項５】
前記上部本体に備えられる前記係合部に、前記開口部に装入されたノズル部の開口端側を押さえる突起部を形成してなることを特徴とする請求項１〜４のいずれかに記載のボトル用ホルダ。
【請求項６】
前記上部本体に備えられる前記係合部に、前記開口部の開口端の両側に沿って一体に形成され当該開口部を拡開可能とする操作壁部を形成してなることを特徴とする請求項１〜５のいずれかに記載のボトル用ホルダ。
【発明の詳細な説明】
【０００１】
【発明の属する技術分野】
この発明は、ボトル用ホルダに関し、ＰＥＴボトルなどのボトルで注ぎ易くする等とともに、冷蔵庫などに縦置きしたり、横置きする場合にも取り扱い易くするもので、特にリサイクル性や廃棄性を高めた軽量薄肉のボトル用として好適なものである。
【０００２】
【従来の技術】
液体用の容器として種々の合成樹脂製のボトルが用いられており、例えば清涼飲料や天然水などのミネラルウォータの容器等としてＰＥＴボトルが用いられており、最近では、ボトルの内容量の大きなものも使われている。
【０００３】
このようなボトルは、通常、円筒状や矩形筒状の胴部の上端にノズル部が設けられ、ねじ式のキャップが取り付けられて開閉できるようになっており、使い始める場合には、ねじ式のキャップを回してシール部を切り離し、胴部を持って注ぐようにしている。
【０００４】
このようにボトルから内容物を注ぎ出す場合にボトルの胴部を持って行なおうとすると、胴部が太いこともあり、注ぎ難く、これを解消するため種々の提案がなされている。
【０００５】
例えば、図８に示す特開平７−２５１８４３号公報に開示されたボトル支持用把手１では、把手部２の上端部にほぼ水平にボトル支持部３を形成し、このボトル支持部３にボトル１００のノズル部１１０のつば状リング下部を係合する係合凹部４を設け、この係合凹部４の両先端から通したワイヤ５を把手部２に設けたレバー６で長さを変えるようにするとともに、把手部２の下端部にもボトル支持部７を形成してボトル１００の胴部１２０の形状に沿うようにし、このボトル支持部７の両先端から通したワイヤ８を把手部２に設けたレバー９で長さを変えるようにしてある。
【０００６】
そして、上下２本のワイヤ５，８を長くした状態でボトル１００に被せ、上端部のボトル支持部３の係合凹部４にボトル１００のノズル部１１０を係合した後、それぞれのワイヤ５，８をレバー６，９によって締め込んでボトル支持用把手１をボトル１００に固定し、把手部２を持つことで注ぎ易くしている。
【０００７】
一方、最近では、ボトルのリサイクルの問題からボトルの成形に要する合成樹脂材料などの使用量を削減して軽量薄肉化を図る必要があり、ボトルによってはボトル支持用把手を固定することができないものもある。
【０００８】
そこで、柔軟容器であっても適用できるものが提案されており、例えば図９に実開平７−１５５６６号のマイクロフィルムに開示された柔軟容器の保持器１０を示すように、柔軟容器をほぼ隙間なく装入する大きさの周側壁１１、底壁１２および頂壁１３を備えた保持器１０で、周側壁１１に外側に突き出した把手１４と下部に柔軟容器の下端部を突出可能とする窓孔１５と窓孔１５を挾んで対向する部分に下部を残して上端まで開口１６を形成し、頂壁１３に一端が開放した案内溝１７を形成して柔軟容器のノズル部を嵌合装入できるようにしてある。
【０００９】
そして、使用する場合には、柔軟容器を開口１６から斜めに差込み、直立させて案内溝１７にノズル部を嵌合装入するようにしてほぼ隙間なく装入し、把手１４を持ことで注ぎ易くしている。
【００１０】
【発明が解決しようとする課題】
ところが、このような柔軟容器の保持器をボトルに適用すると、例えば２リットル入りのＰＥＴボトルでは、冷蔵庫のドアポケットに入らない場合もあり、野菜庫などに立てたまま入れたり、棚部分に横置き状態にして入れることがあるが、このような場合に、周側壁に突き出した把手が邪魔になって多くのスペースを必要としたり、横置きにできない場合が起こるという問題がある。
【００１１】
また、例え保持器に装着したまま縦置き状態や横置き状態にできても、冷蔵庫などから取り出そうとすると、把手が保持器の横に位置するため下方となったったり、奥になって取り出し難いという問題がある。
【００１２】
さらに、ボトルなどを所定本数でダンボールなどの箱に入れ、販売したり、輸送することが考えられるが、この場合には、ボトルとは別に保持器を梱包する必要が生じ、取り扱い難いという問題もある。
【００１３】
この発明はかかる従来技術の有する課題に鑑みてなされたもので、軽量薄肉のボトルにも適用でき、そのまま縦置き状態や横置き状態にもできるとともに、注ぎ出す場合でなく、冷蔵庫などからの取り出しにも利用することができるボトル用ホルダを提供しようとするものである。
【００１４】
【課題を解決するための手段】
上記従来技術が有する課題を解決するためこの発明の請求項１記載のボトル用ホルダは、ボトルのノズル部が側方から装入される開口部を備え、この開口部に装入された前記ノズル部を着脱可能に係合保持する係合部を備える上部本体と、この上部本体の前記開口部と対向する横方向に前記ノズル部が通過可能な空間を介して一体に設けられるハンドル部とを備えることを特徴とするものである。
【００１５】
このボトル用ホルダによれば、ボトルのノズル部が側方から装入される開口部を備え、この開口部に装入された前記ノズル部を着脱可能に係合保持する係合部を備える上部本体と、この上部本体の前記開口部と対向する横方向に前記ノズル部が通過可能な空間を介して一体に設けられるハンドル部とを備えるようにしており、上部本体のハンドル部と開口部とが対向する間の空間からボトルのノズル部を入れ、開口部に側方からノズル部を入れて係合部で保持することでボトルのノズル部の横方向にハンドル部が位置することになり、縦置き状態でも横置き状態でもハンドル部を持つことができ、注ぎ出しだけでなくボトルの取り扱いを容易にすることができるようになる。
【００１６】
また、この発明の請求項２記載のボトル用ホルダは、請求項１記載の構成に加え、前記ハンドル部を、前記ボトルを並べて収納したときの隣接するボトル同士のノズル部上面とノズル部に連続するボトルの縮径部とで形成される空間内に位置するよう形成してなることを特徴とするものである。
【００１７】
このボトル用ホルダによれば、前記ハンドル部を、前記ボトルを並べて収納したときの隣接するボトル同士のノズル部上面とノズル部に連続するボトルの縮径部とで形成される空間内に位置するよう形成してあり、ホルダに取り付けた状態のボトルを収納して梱包する場合等にも他のボトルと干渉せずに収納できるようになる。
【００１８】
さらに、この発明の請求項３記載のボトル用ホルダは、請求項１または２記載の構成に加え、前記上部本体の前記ハンドル部の反対方向に、前記ボトルの胴部の一部を覆う側部本体を一体もしくは別体に設けてなることを特徴とするものである。
【００１９】
このボトル用ホルダによれば、前記上部本体の前記ハンドル部の反対方向に、前記ボトルの胴部の一部を覆う側部本体を一体もしくは別体に設けるようにしており、側部本体でボトルの胴部の一部を覆うことで、軽量薄肉のボトルへの適用も容易となるとともに、別体として長さの異なる側部本体を連結するようにすれば、内容量の異なるボトルへの適用も容易となる。
【００２０】
また、この発明の請求項４記載のボトル用ホルダは、請求項１〜３のいずれかに記載の構成に加え、前記側部本体に横置き可能とする平坦面を形成してなることを特徴とするものである。
【００２１】
このボトル用ホルダによれば、前記側部本体に横置き可能とする平坦面を形成するようにしており、側部本体の平坦面を下にして横置き状態にすることで安定した状態にできるようになる。
【００２２】
さらに、この発明の請求項５記載のボトル用ホルダは、請求項１〜４のいずれかに記載の構成に加え、前記上部本体に備えられる前記係合部に、前記開口部に装入されたノズル部の開口端側を押さえる突起部を形成してなることを特徴とするものである。
【００２３】
このボトル用ホルダによれば、前記上部本体に備えられる前記係合部に、前記開口部に装入されたノズル部の開口端側を押さえる突起部を形成するようにしており、アンダーカットなどの突起部を設けることで、一層確実にボトルのノズル部を係合保持できるようにしている。
【００２４】
また、この発明の請求項６記載のボトル用ホルダは、請求項１〜５のいずれかに記載の構成に加え、前記上部本体に備えられる前記係合部に、前記開口部の開口端の両側に沿って一体に形成され当該開口部を拡開可能とする操作壁部を形成してなることを特徴とするものである。
【００２５】
このボトル用ホルダによれば、前記上部本体に備えられる前記係合部に、前記開口部の開口端の両側に沿って一体に形成され当該開口部を拡開可能とする操作壁部を形成するようにしており、操作壁部で開口部を拡げるようにすることで、空になったボトルのノズル部を一層簡単に取り外すことができるようになる。
【００２６】
【発明の実施の形態】
以下、この発明の実施の形態について図面に基づき詳細に説明する。
図１〜図３はこの発明のボトル用ホルダの一実施の形態にかかり、図１は全体の概略斜視図、図２は正面図および左右側面図、図３は平面図、底面図および縦断面図である。
【００２７】
このボトル用ホルダ３０は、合成樹脂製のボトル１００に装着して使用するもので、注ぎ出す場合はもちろん、縦置き状態や横置き状態からの取り出しなどにも使用することでボトル１００の取り扱いを容易とするものである。
【００２８】
このボトル用ホルダ３０は、例えば上部の上部本体３１とこれに続く中間部の側部本体３２と下部の底部本体３３とを備えて構成してあり、例えばこれら上部本体３１、側部本体３２、底部本体３３が合成樹脂で一体に成形してある。
【００２９】
なお、このボトル用ホルダ３０は、少なくとも上部本体３１だけで構成され、これに加えて側部本体３２を備えて構成したり、さらに、底部本体３３を加えて構成することができるものである。
【００３０】
このボトル用ホルダ３０の上部本体３１は、ボトル１００のノズル部１１０のつば状リング部１１２の下部近傍を覆う板状の上板部３１ａを備えており、この上部本体３１の上板部３１ａにボトル１００のノズル部１１０が側方から装入される開口部４１が略Ｕ字状に形成してある。この開口部４１には、上下方向の平面視Ｕ字状の側壁部４２の内側に水平な水平壁部４３が一体に形成され、この水平壁部４３の開口端近傍の両側に突き出してノズル部１１０を係合保持する係合部４４として突起部４５がアンダーカットとして形成してあり、開口部４１に装着されたノズル部１１０の開口端側から押さえてボトル１００を上部本体３１に取り付けた状態を保持できるようにしてある。
【００３１】
また、この開口部４１には、係合部４４の両側の突起部４５で押さえて取り付けた状態のボトル１００の取り外しを容易にするため、平面視Ｕ字状の側壁部４２の開口端から外側に沿って操作壁部４６が一体に形成してあり、これら側壁部４２と両側の操作壁部４６が平面視略Ｍ字状に形成されている。
【００３２】
したがって、この操作壁部４６の両端部を挾んで開口部４１を開くようにすることで突起部４５の間隔が拡がる拡開状態となり、開口部４１に取り付けられていたボトル１００を簡単に取り外すことができる。
【００３３】
このような上部本体３１には、開口部４１と対向する横方向にノズル部１１０が通過させることができる空間４７をあけてハンドル部４８が設けてあり、開口部４１の前方をリング状に囲むように形成され、このハンドル部４８の位置が、図４に示すように、ボトル１００を並べて収納したり、梱包したとき、開口部４１に装着したボトル１００同士の上面とノズル部１１０に連続する縮径部１３０とで形成される空間４９内となるように形成してある。
【００３４】
したがって、このようなボトル用ホルダ３０をボトル１００に装着した状態で所定本数まとめて箱に入れる等梱包する場合にもボトル１００と干渉せずにそのまま梱包することができ、ボトル用ホルダ３０を使い回すことが簡単にできるようになる。
【００３５】
このような上部本体３１だけで構成したボトル用ホルダ３０によって、開口部４１の係合部４４にボトル１００のノズル部１１０を装着して突起部４５で保持した状態にすることで、開口部４１の側方に突き出したハンドル部４８を一方の手で持ち、他方の手でボトル１００の胴部１２０や底部１４０を支えることで、注ぎ出すことができる。
【００３６】
また、ハンドル部４８を一方の手で持ち、ボトル１００の底部１４０を床面などに付けたまま傾けるようにして注ぎ出すこともでき、特に、内容量が多く重量のあるボトル１００であっても全体を持ち上げることなくわずかな力で注ぎ出すことができる。
【００３７】
さらに、このボトル用ホルダ３０では、上部本体３１に一体に連結されて側部本体３２が設けられ、ボトル１００の胴部１２０の高さに沿って下端まで形成されるとともに、胴部１２０の周方向には、一部を覆うように、例えば約４分の１周程度（角度で約９０度程度）設けてあり、中央部が平坦面５１とされ、両端部が内側に折り起された傾斜面５２とされて横断面形状が台形状としてある。
【００３８】
そして、平坦面５１には、軽量化、成形性を考慮し、貫通孔５３が形成され、例えば図示例のように、矩形の貫通孔５３が縦横にそれぞれ３個ずつ形成してある。
【００３９】
このような上部本体３１と一体に形成した側部本体３２を備えて構成されるボトル用ホルダ３０では、ボトル１００を胴部１２０を下にして横置き状態とする場合に、側部本体３２の平坦面５１を下にするようにすれば、安定した状態で置くことができるとともに、冷蔵庫等の棚などに入れたり、出したりする場合に、ハンドル部４８を持って側部本体３２を滑らすようにして行うことができ、特に、内容量が多く重量のあるボトル１００であっても全体を持ち上げることなくわずかな力で取り出したり、収納することができる。
【００４０】
また、このような側部本体３２を備えたボトル用ホルダ３０では、図示例の円筒状のボトルだけでなく矩形状のボトルに適用すると、ボトルの胴部の短辺側が側部本体３２の平坦面５１に緊密に接するとともに、両端部の内側に折り起こした傾斜面５２がボトルの胴部の短辺と長辺の接続面であるコーナ部分に接し、強固にボトルを保持することができ、安定した状態で注ぎ出しや収納、あるいは取り出し等を行うことができる。
【００４１】
さらに、このボトル用ホルダ３０には、側部本体３２の下端に連続して垂直に底部本体３３が設けてあり、ボトル１００の底部１４０が載置できるようになっている。
【００４２】
この底部本体３３は、側部本体３２から突き出す先端側が略馬蹄形状に形成された底板部５４を備え、この底板部５４の下面にＵ字状の脚部５５が下方に突き出して形成され、底板部５４の補強とボトル１００を縦置き状態とする場合に安定するようにしてある。
【００４３】
このように上部本体３１、側部本体３２および底部本体３３を備えて構成されたボトル用ホルダ３０では、上部本体３１の開口部４１とハンドル部４８の空間４７にボトル１００のノズル部１１０を下から入れるようにした後、ノズル部１１０のつば状リング部１１２の下方を開口部４１の係合部４４の間に押し込むようにし、突起部４５で押さえて係合保持することで、ボトル１００をホルダに取り付ける。
【００４４】
この後、新しいボトル１００の場合には、ノズル部１１０を覆うねじ式のキャップ１１３を回してシール部を切り離す。このキャップ１１３を回す場合には、ハンドル部４８を押さえたり、側部本体３２を押え、あるいはボトル１００の胴部１２０を直接押さえてキャップ１１３の回転に伴う反力を支持するようにすれば良く、上部本体３１の係合部４４にボトル１００のノズル部１１０の回り止め構造を設けるようにしても良い。
【００４５】
そして、キャップ１１３を取り外した後、注ぎ出す場合には、開口部４１の側方に突き出したリング状のハンドル部４８を一方の手で持ち、他方の手で側部本体３２や底部本体３３を支えることで、注ぎ出すことができる。
【００４６】
このようにハンドル部４８がボトル１００の上部に位置することから両手での注ぎ出しが前提であるので、これまでのボトルの胴部の側方に突き出す把手を片手で持つことを前提としたものに比べ、力のない者でも簡単かつ安全に注ぎ出すことができる。
【００４７】
また、ハンドル部４８を一方の手で持ち、底部本体３３を床面などに付けたまま傾けるようにして注ぎ出すこともでき、特に、内容量が多く重量のあるボトル１００であっても全体を持ち上げることなくわずかな力で注ぎ出すことができ、力のない者に一層有効である。
【００４８】
さらに、ハンドル部４８を持ってボトル１００を傾ける場合には、ボトル１００のノズル部１１０がボトル用ホルダ３０の開口部４１に嵌まる方向であり、ボトル１００が外れることがなく、安全に注ぎ出すことができる。
【００４９】
また、冷蔵庫の野菜室やドアポケットなどに縦置き状態として出し入れする場合にも、このボトル用ホルダ３０では、ハンドル部４８がボトル１００のノズル部１１０の近傍の上方の空間４９内に位置するので、ハンドル部４８を利用して出し入れすることができ、簡単に出し入れできるとともに、ボトル１００を収納するスペースとほとんど同じスペースに収納することができる。
【００５０】
これにより、ボトル１００を６本などまとめて梱包する場合などにも、ハンドル部４８が空間４９内に位置するので、１本のボトル１００に装着したまま梱包することもできる。
【００５１】
さらに、ボトル用ホルダ３０の底部本体３３に設けた脚部５５によって安定した状態で縦置きすることができるとともに、側部本体３２および底部本体３３でボトル１００の損傷を防止することもできる。
【００５２】
さらに、冷蔵庫などの棚などに横置きする場合には、ハンドル部４８を手前とし、側部本体３２の平坦面５１を下にして置くことで、安定した状態で横置きできるとともに、出し入れの際に側部本体３２の平坦面５１を滑らすようにすることで簡単に出し入れすることができる。
【００５３】
次に、この発明のボトル用ホルダの他の一実施の形態について、図面に基づき詳細に説明するが、既に説明した上記実施の形態と同一部分には同一記号を記し、説明は省略する。
【００５４】
図５〜図７はこの発明のボトル用ホルダの他の一実施の形態にかかり、図５は高さの異なる２つのものの全体の概略斜視図、図６は正面図および左右側面図、図７は平面図、底面図および縦断面図である。
【００５５】
このボトル用ホルダ６０では、例えば上部本体３５、側部本体３６および底部本体３７で構成され、上部本体３５と側部本体３６とは別体とされ、図示しない連結機構によって連結できるようにしてあり、高さの異なる側部本体３６を用意することで、内容量が異なり高さの異なるボトル１００への適用を容易とするものである。
【００５６】
なお、このボトル用ホルダ６０も、少なくとも上部本体３５だけで構成され、これに加えて側部本体３６を連結して構成したり、さらに、底部本体３７を加えて構成することができるものである。
【００５７】
このボトル用ホルダ６０の上部本体３５には、ボトル１００のノズル部１１０のつば状リング部１１２の下部近傍を覆う曲面状の上板部３５ａが備えられ、この上部本体３１の上板部３５ａにボトル１００のノズル部１１０が側方から装入される開口部４１が略Ｕ字状に形成してある。この開口部４１には、上下方向の平面視Ｕ字状の側壁部４２の内側に水平な水平壁部４３が一体に形成され、この水平壁部４３の開口端近傍の両側に突き出してノズル部１１０を係合保持する係合部４４として突起部４５がアンダーカットとして形成してあり、開口部４１に装着されたノズル部１１０の開口端側から押さえてボトル１００を上部本体３５に取り付けた状態を保持できるようにしてある。
【００５８】
したがって、このボトル用ホルダ６０では、係合部４４へのボトル１００のノズル部１１０の着脱は、押し込んだり、引き出すように力を加えることで行われる。
【００５９】
このような上部本体３５には、開口部４１と対向する横方向にノズル部１１０を通過させることができる空間４７をあけてハンドル部６１が設けてあり、開口部４１の前方をリング状に囲むようにほぼ水平に形成してある。
【００６０】
このハンドル部６１は垂直の縦壁部６１ａとその内側の水平な横壁部６１ｂとで断面Ｔ字状に形成してあり、必要な強度や剛性を確保するようにしている。
【００６１】
なお、このハンドル部６１も、既に説明したハンドル部４８と同様に、図示省略したが、ボトル１００を並べて収納したり、梱包したとき、開口部４１に装着したボトル１００同士の上面とノズル部１１０に連続する縮径部１３０とで形成される空間内に位置するように形成してある。
【００６２】
したがって、このボトル用ホルダ６０でも、ボトル１００に装着した状態で所定本数まとめて箱に入れる等梱包する場合にもボトル１００と干渉せずにそのまま梱包することができ、ボトル用ホルダ６０を使い回すことが簡単にできるようになる。
【００６３】
このような上部本体３５だけで構成したボトル用ホルダ６０によれば、上記実施の形態の場合と同様に、開口部４１の係合部４４にボトル１００のノズル部１１０を装着して突起部４５で保持した状態にすることで、開口部４１の側方に突き出したハンドル部６１を一方の手で持ち、他方の手でボトル１００の胴部１２０や底部１４０を支えることで、注ぎ出すことができる。
【００６４】
また、ハンドル部６１を一方の手で持ち、ボトル１００の底部１４０を床面などに付けたまま傾けるようにして注ぎ出すこともでき、特に、内容量が多く重量のあるボトル１００であっても全体を持ち上げることなくわずかな力で注ぎ出すことができる。
【００６５】
そして、このボトル用ホルダ６０では、ハンドル部６１が開口部４１の前方にほぼ水平に設けてあるので、ハンドル部６１を一方の手で持って注ぎ出す場合に、ボトル１００のノズル部１１０先端の注ぎ口がハンドル部６１を持った手で使用者の視線を遮ることがなく、注ぎ出し状態を見ながら確実に注ぎ出すことができる。
【００６６】
したがって、このハンドル部６１は、ボトルを並べたときに形成される空間４９内のできるだけ低い位置に配置するようにすれば、一層確実に視線を遮ることを防止しながらボトルに装着した状態での梱包も可能となる。
【００６７】
さらに、このボトル用ホルダ６０では、上部本体３５に別体の側部本体３６が連結機構を介して設けられ、ボトル１００の胴部１２０の高さに沿って下端まで形成されるとともに、胴部１２０の周方向には、一部を覆うように、例えば約４分の１周程度（角度で約９０度程度）設けてあり、中央部が平坦面６２とされ、両端部が内側に折り起された平坦面６３とされて横断面形状がコ字形状としてある。
【００６８】
そして、平坦面６２には、軽量化のため貫通孔６４が形成され、例えば図示例のように、略矩形の上下に長い貫通孔６４が横に３個形成してある。
【００６９】
この側部本体３６は、図５に示すように、ボトル１００の高さに応じて複数用意され、例えば内容量が２Ｌおよび１．５Ｌ用の高さの高いもの（図５（ａ）の側部本体３６）と、０．５Ｌ用の高さの低いもの（図５（ｂ）の側部本体３６Ａ）が用意され、同一の連結機構（図示せず）で連結できるようにしてある。
【００７０】
このような上部本体３５と別体の側部本体３６又は側部本体３６Ａとを連結して構成されるボトル用ホルダ６０では、ボトル１００を胴部１２０を下にして横置き状態とする場合に、側部本体３６，３６Ａの中央部の平坦面６２を下にするようにすれば、安定した状態で置くことができるとともに、冷蔵庫等の棚などに入れたり、出したりする場合に、ハンドル部６１を持って側部本体３６，３６Ａを滑らすようにして行うことができ、特に、内容量が多く重量のあるボトル１００であっても全体を持ち上げることなくわずかな力で取り出したり、収納することができる。
【００７１】
また、このような側部本体３６，３６Ａを備えたボトル用ホルダ６０では、図示例の円筒状のボトルだけでなく矩形状のボトルに適用すると、ボトルの胴部の短辺側が側部本体３６，３６Ａの中央部の平坦面６２に緊密に接するとともに、両端部の内側に折り起こした平坦面６３でボトルの胴部の長辺に緊密に接し、強固にボトルを保持することができ、安定した状態で注ぎ出しや収納、あるいは取り出し等を行うことができる。
【００７２】
さらに、このボトル用ホルダ６０には、側部本体３６，３６Ａの下端に連続して垂直に底部本体３７が一体に設けてあり、高さの異なるそれぞれのボトル１００の底部１４０が載置できるようになっている。
【００７３】
この底部本体３７は、側部本体３６，３６Ａから突き出す先端側が略馬蹄形状に形成された底板部６５を備え、この底板部６５の下面にＵ字状の脚部６６が下方に突き出して形成され、底板部６５の補強とボトル１００を縦置き状態とする場合に安定するようにしてある。
【００７４】
このように上部本体３５、側部本体３６，３６Ａおよび底部本体３７を備えて構成されたボトル用ホルダ６０では、予めボトル１００の大きさに応じて側部本体３６または側部本体３６Ａを上部本体３５に連結しておく。
【００７５】
そして、このボトル用ホルダ６０では、上部本体３５の開口部４１とハンドル部６１の空間４７にボトル１００のノズル部１１０を下から入れるようにした後、ノズル部１１０のつば状リング部１１２の下方を開口部４１の係合部４４の間に押し込むようにし、突起部４５で押さえて係合保持することで、ボトル１００をホルダに取り付ける。
【００７６】
この後、新しいボトル１００の場合には、ノズル部１１０を覆うねじ式のキャップ１１３を回してシール部を切り離す。このキャップ１１３を回す場合には、ハンドル部４８を押さえたり、側部本体３６，３６Ａを押え、あるいはボトル１００の胴部１２０を直接押さえてキャップ１１３の回転に伴う反力を支持するようにすれば良く、上部本体３５の係合部４４にボトル１００のノズル部１１０の回り止め構造を設けるようにしても良い。
【００７７】
そして、キャップ１１３を取り外した後、注ぎ出す場合には、開口部４１の側方に突き出したリング状のハンドル部６１を一方の手で持ち、他方の手で側部本体３６，３６Ａや底部本体３７を支えることで、注ぎ出すことができる。
【００７８】
このようにハンドル部６１がボトル１００の上部に位置することから両手での注ぎ出しが前提であるので、これまでのボトルの胴部の側方に突き出す把手を片手で持つことを前提としたものに比べ、力のない者でも簡単かつ安全に注ぎ出すことができる。
【００７９】
また、ハンドル部６１を一方の手で持ち、底部本体３７を床面などに付けたまま傾けるようにして注ぎ出すこともでき、特に、内容量が多く重量のあるボトル１００であっても全体を持ち上げることなくわずかな力で注ぎ出すことができ、力のない者に一層有効である。
【００８０】
さらに、ハンドル部６１を持ってボトル１００を傾ける場合には、ボトル１００のノズル部１１０がボトル用ホルダ６０の開口部４１に嵌まる方向であり、ボトル１００が外れることがなく、安全に注ぎ出すことができる。
【００８１】
また、冷蔵庫の野菜室やドアポケットなどに縦置き状態として出し入れする場合にも、このボトル用ホルダ６０では、ハンドル部６１がボトル１００のノズル部１１０の近傍の上方の空間４９内に位置するので、ハンドル部６１を利用して出し入れすることができ、簡単に出し入れできるとともに、ボトル１００を収納するスペースとほとんど同じスペースに収納することができる。
【００８２】
これにより、ボトル１００を６本などまとめて梱包する場合などにも、ハンドル部６１が空間４９内に位置するので、１本のボトル１００に装着したまま梱包することもできる。
【００８３】
さらに、ボトル用ホルダ６０の底部本体３７に設けた脚部６６によって安定した状態で縦置きすることができるとともに、側部本体３６，３６Ａおよび底部本体３７でボトル１００の損傷を防止することもできる。
【００８４】
さらに、冷蔵庫などの棚などに横置きする場合には、ハンドル部６１を手前とし、側部本体３６，３６Ａの中央部の平坦面６２を下にして置くことで、安定した状態で横置きできるとともに、出し入れの際に側部本体３６，３６Ａの中央部の平坦面５１を滑らすようにすることで簡単に出し入れすることができる。
【００８５】
また、このように上部本体３５、側部本体３６，３６Ａおよび底部本体３７を備えて構成されたボトル用ホルダ６０では、ボトル１００の大きさに応じて側部本体３６，３６Ａを変更することで、上部本体３５と側部本体３６と底部本体３７とが一体のものをそれぞれ用意する場合に比べ、金型の製作が容易となり、安価に製作することができる。
【００８６】
なお、この各実施の形態では、ボトルとして胴部が円筒状のＰＥＴボトルを対象に説明したが、胴部の形状が矩形筒状など他の形状であっても良く、ボトルの材質もＰＥＴに限らず他の合成樹脂や金属あるいはガラスなど他の材質であっても良い。
【００８７】
【発明の効果】
以上、実施の形態とともに具体的に説明したように、この発明の請求項１記載のボトル用ホルダによれば、ボトルのノズル部が側方から装入される開口部を備え、この開口部に装入された前記ノズル部を着脱可能に係合保持する係合部を備える上部本体と、この上部本体の前記開口部と対向する横方向に前記ノズル部が通過可能な空間を介して一体に設けられるハンドル部とを備えるようにしたので、上部本体のハンドル部と開口部とが対向する間の空間からボトルのノズル部を入れ、開口部に側方からノズル部を入れて係合部で保持することでボトルのノズル部の横方向にハンドル部を位置させることができ、縦置き状態でも横置き状態でもハンドル部を持つことができ、注ぎ出しだけでなくボトルの取り扱いを容易にすることができる。
【００８８】
また、この発明の請求項２記載のボトル用ホルダによれば、前記ハンドル部を、前記ボトルを並べて収納したときの隣接するボトル同士のノズル部上面とノズル部に連続するボトルの縮径部とで形成される空間内に位置するよう形成したので、ホルダに取り付けた状態のままボトルを収納して梱包する場合等にも他のボトルと干渉せずに収納することができる。
【００８９】
さらに、この発明の請求項３記載のボトル用ホルダによれば、前記上部本体の前記ハンドル部の反対方向に、前記ボトルの胴部の一部を覆う側部本体を一体もしくは別体に設けるようにしたので、側部本体でボトルの胴部の一部を覆うことで、軽量薄肉のボトルへの適用も容易にできるとともに、別体として長さの異なる側部本体を連結するようにすれば、内容量の異なるボトルへの適用も容易に行うことができる。
【００９０】
また、この発明の請求項４記載のボトル用ホルダによれば、前記側部本体に横置き可能とする平坦面を形成するようにしたので、側部本体の平坦面を下にして横置き状態にすることで安定した状態で置くことができる。
【００９１】
さらに、この発明の請求項５記載のボトル用ホルダによれば、前記上部本体に備えられる前記係合部に、前記開口部に装入されたノズル部の開口端側を押さえる突起部を形成するようにしたので、アンダーカットなどの突起部を設けることで、一層確実にボトルのノズル部を係合保持することができる。
【００９２】
また、この発明の請求項６記載のボトル用ホルダによれば、前記上部本体に備えられる前記係合部に、前記開口部の開口端の両側に沿って一体に形成され当該開口部を拡開可能とする操作壁部を形成するようにしたので、操作壁部で開口部を拡げるようにすることで、空になったボトルのノズル部を一層簡単に取り外すことができる。
【図面の簡単な説明】
【図１】この発明のボトル用ホルダの一実施の形態にかかる全体の概略斜視図である。
【図２】この発明のボトル用ホルダの一実施の形態にかかる正面図および左右側面図である。
【図３】この発明のボトル用ホルダの一実施の形態にかかる平面図、底面図および縦断面図である。
【図４】この発明のボトル用ホルダの一実施の形態にかかるハンドル部が位置する空間の説明図である。
【図５】この発明のボトル用ホルダの他の一実施の形態にかかる高さの異なる２つのものの全体の概略斜視図である。
【図６】この発明のボトル用ホルダの他の一実施の形態にかかる正面図および左右側面図である。
【図７】この発明のボトル用ホルダの他の一実施の形態にかかる平面図、底面図および縦断面図である。
【図８】従来のボトル支持用把手の概略斜視図である。
【図９】従来の柔軟容器の保持器の概略斜視図である。
【符号の説明】
３０，６０　ボトル用ホルダ
３１，３５　上部本体
３２，３６，３６Ａ　側部本体
３３，３７　底部本体
４１　開口部
４２　側壁部
４３　水平壁部
４４　係合部
４５　突起部（アンダーカット）
４６　操作壁部
４７　空間（ノズル装着用）
４８，６１　ハンドル部
４９　空間（ハンドル位置）
５１，６２，６３　平坦面
５２　傾斜面
５３，６４　貫通孔
５４，６５　底板部
５５，６６　脚部
１００　ボトル
１１０　ノズル部
１１２　つば状リング部
１２０　胴部
１３０　縮径部
１４０　底部
【図１】
2004067112.tif 000003
【図２】
2004067112.tif 000004
【図３】
2004067112.tif 000005
【図４】
2004067112.tif 000006
【図５】
2004067112.tif 000007
【図６】
2004067112.tif 000008
【図７】
2004067112.tif 000009
【図８】
2004067112.tif 000010
【図９】
2004067112.tif 000011